(57)【要約】【課題】目盛の読み間違いを抑制できるスケールを提供する。【解決手段】長さを測定するスケール１００は、目盛２０が形成されたスケール本体部１０を備えている。スケール本体部１０の目盛２０は、１ｃｍ単位の第１目盛基準２１と、１ｍｍ単位の第２目盛基準２２と、５ｍｍ単位の第３目盛基準２５とを含んでいる。第１目盛基準２１を規定する第１線分長は、第２目盛基準２２を規定する第２線分長よりも長く、そして、第３目盛基準２５を規定する第３線分長は、第２目盛基準２２を規定する第２線分長よりも短い。【選択図】図１
0003212599.tif 000002
【実用新案登録請求の範囲】
【請求項１】
長さを測定するスケールであって、
目盛が形成されたスケール本体部を備え、
前記スケール本体部の前記目盛は、
１ｃｍ単位の第１目盛基準と、
１ｍｍ単位の第２目盛基準と、
５ｍｍ単位の第３目盛基準と
を含んでおり、
前記第１目盛基準を規定する第１線分長は、前記第２目盛基準を規定する第２線分長よりも長く、
前記第３目盛基準を規定する第３線分長は、前記第２目盛基準を規定する第２線分長よりも短いことを特徴とする、スケール。
【請求項２】
さらに、前記目盛には、さらに、０．５ｍｍ単位の第４目盛基準が含まれており、
前記第４目盛基準を規定する第４線分長は、前記第３目盛基準を規定する第３線分長よりも短いことを特徴とする、請求項１に記載のスケール。
【請求項３】
前記スケール本体部は、板状部材であり、
前記スケール本体部の一方の第１長手方向端部に、前記目盛が形成されている、請求項１または２に記載のスケール。
【請求項４】
さらに、前記スケール本体部には、前記一方と反対に位置する第２長手方向端部も前記目盛が形成されている、請求項３に記載のスケール。
【請求項５】
前記５ｍｍ単位の第３目盛基準の先端には、前記第３目盛基準を規定する線の幅の寸法よりも大きい印が設けられている、請求項１から４の何れか一つに記載のスケール。
【請求項６】
前記スケール本体部は、Ｌ字形状を有している、請求項１から５の何れか一つに記載のスケール。
【請求項７】
前記スケール本体部は、金属製であり、
前記目盛は、前記スケール本体部の表面に形成されており、
前記スケール本体部の裏面は無地であり、
前記スケール本体部のうちの前記目盛が形成されていない領域において、貫通孔が形成されている、請求項１から６の何れか一つに記載のスケール。
【請求項８】
前記スケール本体部は、樹脂製の透光性材料から構成されている、請求項１から６の何れか一つに記載のスケール。
【請求項９】
前記スケール本体部は、巻き尺収納ケースに収納される目盛テープである、請求項１から６の何れか一つに記載のスケール。
【請求項１０】
容積を測定するメスシリンダーであって、
目盛が形成された容器部を備え、
前記目盛は、
１０ｍＬ単位の第１目盛基準と、
１ｍＬ単位の第２目盛基準と、
５ｍＬ単位の第３目盛基準と
を含んでおり、
前記第１目盛基準を規定する第１線分長は、前記第２目盛基準を規定する第２線分長よりも長く、
前記第３目盛基準を規定する第３線分長は、前記第２目盛基準を規定する第２線分長よりも短いことを特徴とする、メスシリンダー。
【請求項１１】
物理量を測定する目盛を持った測定器であって、
前記目盛は、
第１単位の基準となる第１目盛基準と、
前記第１単位よりも大きい第２単位の基準となる第２目盛基準と、
前記第１単位と前記第２単位の間の第３単位の基準となる第３目盛基準と
を含んでおり、
前記第１目盛基準を規定する第１線分長は、前記第２目盛基準を規定する第２線分長よりも長く、
前記第３目盛基準を規定する第３線分長は、前記第２目盛基準を規定する第２線分長よりも短いことを特徴とする、測定器。
【考案の詳細な説明】
【技術分野】
【０００１】
本考案は、スケールに関する。特に、目盛線の読み間違いを軽減できるスケール（物差し）に関する。
【背景技術】
【０００２】
スケール（物差し）または定規の目盛線を読みやすくするために、目盛線に色を付けたりする技術が提案されている（例えば、特許文献１）。特許文献１には、目盛りの中で特に目立たせたい特定の目盛線を、その他の目盛線と違う色にして、目盛線を読み取りやすくした定規が開示されている。
【先行技術文献】
【特許文献】
【０００３】
【特許文献１】特開２０１６−１５５２３９号公報
【考案の概要】
【考案が解決しようとする課題】
【０００４】
室内照明で明るくした製図室のような場所で、特許文献１のような色違い目盛りの定規を使用する場合、特に不具合は生じず、たしかに特定の目盛線の色を変えたら読み間違えは少なくなる。しかしながら、工場の製造機械の裏のような影のような場所では、そのような色違い目盛りの定規は効果を発揮しずらく、やはり一定確率で読み間違いが生じてしまう。
【０００５】
本願考案者は、ペットボトルのシュリンクフィルムを用いてシュリンク業務を行っているが、そこでのフィルムの長さの読み間違いは、かなり大きな時間的損失、そして金銭的損失になる。フィルム（または、紙のような材質のもの）の寸法（幅など）を読み取る場合、図１４に示すようにして行う。具体的には、フィルム１５００の下にスケール（物差し）１０００を配置して、スケール１０００の目盛１２００で、フィルム１５００の寸法（ここでは、幅）を読み取る。工場内の設備装置（製造装置）の横で、製造工程の業務を行いながらフィルム１５００の寸法（幅）を読み取るのであるが、図示した例では、フィルムの一端１２１０をスケール１０００の目盛１２１０にきっちりと合わせて、そして、その反対側のフィルムの一端（他端）１２２０を、スケール１０００の目盛１５２０で読み取る。
【０００６】
ここで、最も多い読み間違いは、スケール１０００の目盛１２００で、１ｃｍ目盛（１０ｍｍ目盛）と５５ｍｍ目盛とを勘違いしてしまうものである。フィルムの一端１２１０の方は、使いやすい決まった目盛り１５１０を利用してあわせるとして、フィルムの他端１２２０を計測する際には、フィルム１５００の下にスケール１０００があるので、スケールの目盛１２００（１５２０）が見えにくく、前回のフィルム１５００の幅や、良く使用されるフィルム１５００の幅の先入観によって、１ｃｍと５ｍｍの目盛を間違って読んでしまうことがある。また、通常のフィルム幅のような先入観が強いと、ダブルチェックを行っても、寸法（幅）を読み間違ったまま、製造工程に入ってしまうことが多々ある。
【０００７】
製図のような場合には、寸法の読み間違いに気付いたら、そこを後日その寸法を修正すればよいが、フィルムをシュリンクさせるような工場内の製造工程においては、フィルム幅の読み間違いは、直ちに不良品の大量発生に繋がる。フィルムシュリンクの製造工程における誤差の許容はせいぜい±１ｍｍ（好ましくは±０．５ｍｍ）であるところ、５ｍｍの読み間違いは致命的であり、読み間違いを行うと、小ロットでも数十万円の損失を招き、そして、大ロットではそれ以上（数十万円または数百万円あるいはそれ以上）の損失をもたらす。もちろん、費用的な損失も大きいが、それ以上に、製造工程には納期が存在するので、費用的な損失以上に時間的な損失も大きい。納期に間に合わなければ、信用が失墜するとともに、実際に、後工程に多大な迷惑をかけてしまう。
【０００８】
特許文献１に開示された定規を用いた場合、例えば５ｍｍ目盛のところに色が付いていると、その色つきの５ｍｍ目盛によって１ｃｍ目盛との読み間違いが軽減するように思えるが、工場内は製造装置の影になって暗い場所があり、また定規がオイルなどで汚れている可能性もあり、色つきの５ｍｍ目盛を把握できない場合がある。また、フィルム１５００の幅を、１ｍｍ単位（または、０．５ｍｍ単位）でしっかりと読み取りたい時に、５ｍｍ毎に色があると、寸法読み取りの邪魔になる。
【０００９】
また、デジタル式のスケール（物差し）も存在するが、デジタル式のスケールは、厚みや隙間を測るのには適しているが、フィルムの幅ような寸法を正確に測るには適していない。そして、デジタル式のスケールは値段が高いので、その高い定規を工場内に数多く配置するにはコスト的なデメリットが大きい。
【００１０】
そのような状況下で、本願考案者は、工場の製造現場であっても、読み間違いを抑制することができるスケール（または、定規）があれば便利であると鋭意検討して、本考案に至った。本考案はかかる点に鑑みてなされたものであり、その主な目的は、目盛の読み間違いを抑制できるスケールを提供することにある。
【課題を解決するための手段】
【００１１】
本考案に係るスケールは、長さを測定するスケールであり、目盛が形成されたスケール本体部を備え、前記スケール本体部の前記目盛は、１ｃｍ単位の第１目盛基準と、１ｍｍ単位の第２目盛基準と、５ｍｍ単位の第３目盛基準とを含んでいる。前記第１目盛基準を規定する第１線分長は、前記第２目盛基準を規定する第２線分長よりも長く、そして、前記第３目盛基準を規定する第３線分長は、前記第２目盛基準を規定する第２線分長よりも短い。
【００１２】
ある好適な実施形態では、さらに、前記目盛には、さらに、０．５ｍｍ単位の第４目盛基準が含まれている。前記第４目盛基準を規定する第４線分長は、前記第３目盛基準を規定する第３線分長よりも短い。
【００１３】
ある好適な実施形態において、前記スケール本体部は、板状部材であり、前記スケール本体部の一方の第１長手方向端部に、前記目盛が形成されている。
【００１４】
ある好適な実施形態において、さらに、前記スケール本体部には、前記一方と反対に位置する第２長手方向端部も前記目盛が形成されている。
【００１５】
ある好適な実施形態において、前記５ｍｍ単位の第３目盛基準の先端には、前記第３目盛基準を規定する線の幅の寸法よりも大きい印が設けられている。
【００１６】
ある好適な実施形態において、前記スケール本体部は、Ｌ字形状を有している。
【００１７】
ある好適な実施形態において、前記スケール本体部は、金属製である。前記目盛は、前記スケール本体部の表面に形成されている。前記スケール本体部の裏面は無地である。前記スケール本体部のうちの前記目盛が形成されていない領域において、貫通孔が形成されている。
【００１８】
ある好適な実施形態において、前記スケール本体部は、樹脂製の透光性材料から構成されている。
【００１９】
ある好適な実施形態において、前記スケール本体部は、巻き尺収納ケースに収納される目盛テープである。
【００２０】
本考案に係るメスシリンダーは、容積を測定するメスシリンダーであり、目盛が形成された容器部を備え、前記目盛は、１０ｍＬ単位の第１目盛基準と、１ｍＬ単位の第２目盛基準と、５ｍＬ単位の第３目盛基準とを含んでいる。前記第１目盛基準を規定する第１線分長は、前記第２目盛基準を規定する第２線分長よりも長く、そして、前記第３目盛基準を規定する第３線分長は、前記第２目盛基準を規定する第２線分長よりも短い。
【００２１】
本考案に係る測定器は、物理量を測定する目盛を持った測定器であり、前記目盛は、第１単位の基準となる第１目盛基準と、前記第１単位よりも大きい第２単位の基準となる第２目盛基準と、前記第１単位と前記第２単位の間の第３単位の基準となる第３目盛基準とを含んでいる。前記第１目盛基準を規定する第１線分長は、前記第２目盛基準を規定する第２線分長よりも長く、前記第３目盛基準を規定する第３線分長は、前記第２目盛基準を規定する第２線分長よりも短い。
【考案の効果】
【００２２】
本考案に係るスケールによれば、スケール本体部の目盛が、１ｃｍ単位の第１目盛基準と、１ｍｍ単位の第２目盛基準と、５ｍｍ単位の第３目盛基準とを含んでおり、当該５ｍｍ単位の第３目盛基準は、１ｍｍ単位の第２目盛基準よりもさらに短いので、１ｃｍ単位と５ｍｍ単位の目盛を見間違うことが大幅に軽減する。その結果、読み間違いを抑制できるスケールを提供することができる。
【図面の簡単な説明】
【００２３】
【図１】本考案の実施形態に係るスケール１００の構成を示す斜視図である。
【図２】スケール１００の目盛２０を説明するための拡大図である。
【図３】スケール１００の目盛３０を説明するための拡大図である。
【図４】スケール１００の構成を示す平面図である。
【図５】スケール１００の構成を示す裏面図である。
【図６】スケール１００の構成を示す側面図（正面図・背面図）である。
【図７】スケール１００の目盛２０の改変例を説明するための拡大図である。
【図８】スケール１００の改変例の構成を示す斜視図である。
【図９】本考案の実施形態に係るＬ字スケール（指矩）１１０の構成を示す斜視図である。
【図１０】本考案の実施形態に係る定規１２０の構成を示す斜視図である。
【図１１】本考案の実施形態に係るプラスチック定規１２０の構成を示す斜視図である。
【図１２】本考案の実施形態に係る巻尺（メジャー）２００の構成を示す斜視図である。
【図１３】本考案の実施形態に係るメスシリンダー３００の構成を示す斜視図である。
【図１４】従来のスケール（定規）１０００で、フィルム（または紙）１５００の寸法（幅）を測定する様子を示す図である。
【考案を実施するための形態】
【００２４】
本願考案者は、フィルムを取り扱う工場の中でも、簡単にスケール（物差し）の目盛を読み間違えずに見て測定をすることができる手法を検討し、５ｍｍの目盛の線を短くすればよいことに気づき、本考案に至った。具体的には、フィルムの寸法をスケールで読む時に１ｃｍと５ｍｍの目盛の読み間違いが最も多いことを踏まえて、５ｍｍの目盛は、１ｍｍの目盛よりも長い（ただし、１ｃｍの目盛も１ｍｍの目盛よりも長い）という先入観を覆して、１ｍｍの目盛よりも短くして、１ｃｍの目盛と間違えないスケールの考案を完成させた。
【００２５】
以下、図面を参照しながら、本考案の好適な実施形態を説明する。以下の図面においては、説明の簡潔化のために、同じ作用を奏する部材、部位には同じ符号を付し、重複する説明は省略または簡略化することがある。また、各図における寸法関係（長さ、幅、厚さ等）は、基本的にその寸法関係を満たすようにしたが、必ずしも実際の寸法関係を正確に反映していない場合がある。
【００２６】
また、本明細書において特に言及している事項以外の事柄であって本考案の実施に必要な事項は、当該分野における従来技術に基づく当業者の設計事項として把握され得る。本考案は、本明細書及び図面によって開示されている内容と当該分野における技術常識とに基づいて実施することができる。加えて、本考案は、以下の実施形態に限定されるものではない。
【００２７】
図１は、本考案の実施形態に係るスケール１００の構成を示している。また、図２は、本実施形態のスケール１００の目盛２０を拡大して説明するための拡大模式図である。本考案のスケール１００は、長さを測ることができる器具（物差し）である。なお、本実施形態において「スケール（物差し）」とは、長さを測る器具であり、線を引くのに使用される定規の形態のものであってもよいものとする。
【００２８】
本実施形態のスケール１００は、目盛２０が形成されたスケール本体部１０から構成されている。なお、図１に示したスケール１００は、１５０ｍｍのものであるが１５０ｍｍの寸法は例示であり、１５０ｍｍ以下（例えば、１００ｍｍ）であっても、１５０ｍｍ以上（例えば、２００ｍｍ、３００ｍｍ、６００ｍｍ、１０００ｍｍなど）であっても構わない。
【００２９】
図２に示すように、本実施形態のスケール本体部１０の目盛２０は、１ｃｍ単位の第１目盛基準２１と、１ｍｍ単位の第２目盛基準２２と、５ｍｍ単位の第３目盛基準２５とを含んでいる。そして、第１目盛基準（１ｃｍ毎目盛）２１を規定する第１線分長は、第２目盛基準（１ｍｍ毎目盛）２２を規定する第２線分長よりも長い。そして、第３目盛基準（５ｍｍ毎目盛）２５を規定する第３線分長は、第２目盛基準（１ｍｍ毎目盛）２２を規定する第２線分長よりも短い。したがって、多数の１ｍｍ毎目盛２２の中に、１ｍｍ毎目盛２２よりも更に短い５ｍｍ毎目盛２５が存在するので、５ｍｍ毎目盛２５は非常に目立つ目盛となっている。
【００３０】
図示した構成では、スケール本体部１０は、金属製（例えば、ステンレス製）の直尺でり、具体的には、ＪＩＳ基準（例えば、Ｂ７５１６）の条件を満たすスケールである。また、本実施形態における目盛２０（短い５ｍｍ毎目盛２５を含む目盛）は、スケール本体部１０の表面１０ａに形成されている。この例のスケール１００では、スケール本体部１０の裏面は無地であるが、裏面にも目盛２０を形成しても構わない。また、スケール本体部１０のうちの目盛２０が形成されていない領域において、貫通孔１９が形成されている。貫通孔１９は、スケール１００を引っ掛けて保持しておく場合に便利である。
【００３１】
また、本実施形態のスケール本体部１０は、板状部材（例えば、ステンレス板）であり、スケール本体部１０の一方の第１長手方向端部１１に、目盛２０が形成されている。さらに。本実施形態の構成では、スケール本体部１０において、第１長手方向端部１１と反対に位置する第２長手方向端部１２も目盛（第２目盛）３０が形成されている。この目盛３０の拡大図を図３に示す。
【００３２】
図３に示すように、目盛３０は、スケール本体部１０の一側面（第２長手方向端部）１２に形成されている。この目盛３０には、１ｍｍ毎目盛２２の間に、０．５ｍｍ毎目盛（第４目盛基準）２３が設けられている。本実施形態では、０．５ｍｍ毎目盛（第４目盛基準）を規定する第４線分長は、０．５ｍｍ毎目盛（第３目盛基準）２５を規定する第３線分長よりも短くされている。なお、図３に示した目盛において、０．５ｍｍ毎目盛（第３目盛基準）２５の線分長を、０．５ｍｍ毎目盛（第３目盛基準）２５の線分長よりも短くしてもよいが、それでは、数多くある０．５ｍｍ毎目盛２３の中に埋もれてしまって、０．５ｍｍ毎目盛２５が読み取りくなる。したがって、０．５ｍｍ毎目盛２５は、１ｍｍ毎目盛２１よりも短く、かつ、０．５ｍｍ毎目盛２３よりも長くするようにすることが好ましい。
【００３３】
なお、図１に示したスケール１００では、第１長手方向端部１１に目盛２０を形成し、そして、第２長手方向端部１２に目盛３０を形成したが、この構成に限らない。例えば、第１長手方向端部１１および第２長手方向端部１２ともに目盛２０を形成してもよいし、あるいは、第１長手方向端部１１および第２長手方向端部１２ともに目盛２０を形成してもよい。または、第１長手方向端部１１に目盛２０を形成して、第２長手方向端部１２には目盛（２０、３０）を形成しないようにしてもよい。さらには、第１長手方向端部１１に目盛３０を形成して、第２長手方向端部１２には目盛（２０、３０）を形成しないようにしてもよい。
【００３４】
図４から図６は、それぞれ、本実施形態のスケール１００の平面図、裏面図、および、側面図（正面図／背面図）を示している。図示したスケール１００では、第１長手方向端部１１に目盛２０が形成され、第２長手方向端部１２には目盛は形成されていない。また、本実施形態のスケール１００の裏面１０ｂは無地である。そして、スケール１００の表面１０ａおよび裏面１０ｂは、共に平面であり、両者の面（１０ａ、１０ｂ）は平行である。なお、スケール１００の左右側面図は、図４及び図６から導き出すことができる。
【００３５】
本実施形態では、多数の１ｍｍ毎目盛２２の中に、１ｍｍ毎目盛２２よりも更に短い５ｍｍ毎目盛２５が存在する点が特徴的であり、１ｍｍ毎目盛２２よりも５ｍｍ毎目盛２５が短い構成であれば、５ｍｍ毎目盛２５を改変することができる。例えば、図７では、５ｍｍ毎目盛２５の先端に、５ｍｍ毎目盛２５の基準線の幅よりも大きな印（ここでは、点または丸）が設けられている。この印は、例えば、星形、菱形などの他の幾何学形状や模様にしてもよい。
【００３６】
図１では、１５０ｍｍの直尺のスケール１００を示したが、本実施形態のスケール１００は、図８に示すように３００ｍｍの直尺のスケール１００であってもよい。また、本実施形態のスケール１００は直尺に限定されるものではなく、図９に示すように、Ｌ字型のスケール１１０（Ｌ型万能定規、指矩（さしがね）、曲尺（かねじゃく））であってもよい。
【００３７】
図９に示したスケール１１０（指矩）では、スケール本体部１０はＬ字の構造をしている。図示した例では、スケール本体部１０の長手方向端部１１Ａに目盛２０が形成されており、また、長手方向端部１２Ｂにも目盛２０が形成されている。これに限らず、長手方向端部１１Ａおよび長手方向端部１２Ｂに目盛３０を形成してもよいし、また、長手方向端部１２Ａおよび／または長手方向端部１１Ｂに目盛２０（または目盛３０）を形成してもよい。スケール本体部１０の裏面は無地であるが、裏面に目盛（目盛２０または３０）を形成しても構わない。
【００３８】
上述した図１のスケール１００においては、スケール本体部１０の厚さは薄いものを示したが、図１０に示すように、スケール本体部１０の厚さがある程度あるものにしてもよい。図１０に示したスケール１２０は、樹脂製または竹製（または木製）あるいは金属製の定規である。図示したスケール１２０では、第１長手方向端部１１に目盛２０が形成されている。なお、第２長手方向端部１２に目盛２０（または、目盛３０）を形成してもよい。
【００３９】
図１１は、透光性樹脂から構成されたスケール本体部１０を備えたスケール１２０の構成を示している。図示したスケール１２０では、スケール本体部１０の第１長手方向端部１１側に傾斜面１３が形成されており、その傾斜面１３に目盛２０（または目盛３０）が形成されている。
【００４０】
本実施形態のスケール１００（または、１１０、１２０）によれば、スケール本体部１０の目盛２０（または目盛３０）が、１ｃｍ単位の第１目盛基準（１ｃｍ毎目盛）２１と、１ｍｍ単位の第２目盛基準（１ｍｍ毎目盛）２２と、５ｍｍ単位の第３目盛基準（５ｍｍ毎目盛）２５とを含んでおり、５ｍｍ単位の第３目盛基準（５ｍｍ毎目盛）２５は、１ｍｍ単位の第２目盛基準（１ｍｍ毎目盛）よりもさらに短いので、１ｃｍ毎目盛２１と５ｍｍ毎目盛２５を見間違うことが大幅に軽減することができる。その結果、読み間違いを抑制できるスケール１００（または、１１０、１２０）を実現することができる。
【００４１】
図１４に示したような状態において、例えば幅４２ｍｍのフィルム１５００の正確な寸法（幅）をスケールで測ろうとする時、図１４に示したスケール（物差し）１０００では、「長い線の目盛（１ｃｍ）を越えてから、さらに２ｍｍ」というマインドで測定しているので、１ｍｍ目盛よりも長い５ｍｍ目盛を越えたら、反射的にあと２ｍｍと判断して、結局は幅３７ｍｍのものを幅４２ｍｍと思い込んでしまって、寸法を読み間違うことが多い。これは、図１４に示した状況では、スケール１０００の一方はゼロ基準（０ｍｍのスタート基準）にはあわせずに、途中の任意の目盛基準（例えば、５０ｃｍや７０ｃｍの基準線）からスタートさせるので、読み取った目盛は、そのままフィルムの幅を表すわけでなく、頭の中で計算してから幅を算出するためにフィルムの幅の読み間違えに気付きにくいことも影響している。実際、通常目盛のスケール１０００を使った場合の寸法の読み間違えは、本願考案者の経験からしても数多く存在し、読み間違えないようにと指導しても、読み間違えはゼロにはならない。特に、その期間に多く使用される寸法（幅）が続くと、違う幅のものがきても、多く使用されていた寸法（幅）のものの思い込みが残っており、ダブルチェックしても、間違いを除去しきれない。
【００４２】
一方、本実施形態のスケール１００で、幅４２ｍｍフィルム１５００の幅を測定する場合、５ｍｍの目盛２５は短いので、「長い線の目盛（１ｃｍ）を越えてから、さらに２ｍｍと判断したときは、４２ｍｍ」がきちんと導き出される。すなわち、５ｍｍの目盛２５が短いことにより、長い１ｃｍの目盛２１と間違うことがないので、幅４２ｍｍを、幅３７ｍｍと誤読すること（あるいは、幅３７ｍｍのものを幅４２ｍｍに誤読すること）を大幅に減らすことができる。
【００４３】
なお、特許文献１に開示されたような色つきの５ｍｍの場合は暗い場合にその色を把握することが難しかったり、定規がオイルなどで汚れて色がはっきりしない場合、読み間違いが生じる可能性があるが、本実施形態のスケール１００では、５ｍｍ毎目盛２５を低い目盛線にしているので、暗い場合や汚れている場合でも、目盛線が短いという特徴によってはっきり認識することができる。また、工場内では、フィルム１５００の寸法を落ち着いて測りたいところ、５ｍｍ目盛に色がついているものはその色付き目盛がとても気になって、おちついて測ることができないという精神的な問題も生じさせ得る。
【００４４】
本実施形態のスケール１００は、フィルム材料（または紙状の材料）の寸法を測定する他、木材・金属材（または、柱や梁などの建築材料）、ボルト・ナットなどの機械要素ないし機械部品、設備装置の寸法（または、配置位置、隙間などの寸法）を測定するにも便利である。どのような分野でも、５ｍｍの読み間違いは、製品の仕上がりに大きく影響するものであり、いままでダブルチェックでも防ぐのが難しかった目盛の読み間違いの防止を、本実施形態のスケール１００を用いることで実行できる技術的貢献は非常に大きいものである。また、本実施形態のスケール１００は、洋裁、和裁などの裁縫にも好適に使用することができる。加えて、メートル法に基づいて目盛２０（３０）を説明したが、インチ、フィート、尺などのメートル法以外の長さ単位に置き換えて使用しても構わない。当業者であれば上述した説明に基づいて、メートル法で説明した短い目盛線２５を、他の方式（インチ、尺など）にかえた目盛で適用することができる。もちろん、本実施形態のスケール１００の目盛２０（メートル法）を第１長手方向端部１１に形成し、第２長手方向端部１２に他の方式（例えば、インチ、または、尺）の目盛２０（３０）を形成することも可能である。
【００４５】
本実施形態のスケール１００における目盛２０（または目盛３０）は、直尺、Ｌ字尺だけでなく、三角定規に使用することもできる。また、本実施形態の目盛２０（または目盛３０）は、平板形状のものだけでなく、三角スケール（または、三角回転スケール）に適用することも可能である。加えて、本実施形態の目盛２０（または目盛３０）は、ノギスの目盛として使用することも可能であるし、さらには、長さの測定ではないが、分度器の目盛や、質量計・体重計の目盛に使用することも可能である。
【００４６】
また、本実施形態の目盛２０（または目盛３０）は、平板のスケール（定規）だけでなく、図１２に示すような巻き尺（メジャー）２００にも適用可能である。図１２に示した巻き尺２００においては、本実施形態のスケール本体部１０は目盛テープであり、その目盛テープ（スケール本体部）１０に目盛２０が形成されている。目盛テープ１０の先端には引っ掛け具４１があり、目盛テープ１０を収納する巻き尺収納ケース４０には、調整ロック（または留め具）４５が設けられている。なお、巻き尺収納ケース４０のない巻き尺（スケール本体部）１０に、目盛２０を形成してもよい。
【００４７】
さらに、本実施形態のスケール１００における目盛２０は、液体の量を測る器具（メスシリンダー）に適用することも可能である。図１３は、本実施形態の目盛２０が形成されたメスシリンダー３００を示している。図示したメスシリンダー（液量測定器具）３００は、本実施形態の目盛２０が形成された容器部３１０と、容器部３１０の土台部３２０と、容器部３１０の上部開口端３５０に形成された注ぎ口３５２とから構成されている。本実施形態のメスシリンダー３００は、３００ｍＬ（ミリリットル）の液量測定容器であるが、３００ｍＬ以下（例えば、５０ｍＬ、１００ｍＬ、１５０ｍＬ、２００ｍＬなど）でも、３００ｍＬ以上（例えば、４００ｍＬ、５００ｍＬ、７００ｍＬ、１０００ｍＬ、２０００ｍＬなど）でも構わない。
【００４８】
本実施形態のメスシリンダー３００における目盛２０は、１０ｍＬ単位の第１目盛基準（１０ｍＬ毎目盛）２１と、１ｍＬ単位の第２目盛基準（１ｍＬ毎目盛）２２と、５ｍＬ単位の第３目盛基準（５ｍＬ毎）２５を含んでいる。そして、第３目盛基準（５ｍＬ毎）２５の線分長は、第２目盛基準（１ｍＬ毎目盛）２２の線分長よりも短い。したがって、５ｍＬ単位の第３目盛基準（５ｍＬ毎）２５と、１０ｍＬ単位の第１目盛基準（１０ｍＬ毎目盛）２１とを見間違えることを軽減することができる。
【００４９】
以上、本考案を好適な実施形態により説明してきたが、こうした記述は限定事項ではな
く、勿論、種々の改変が可能である。例えば、本実施形態の構成では、５ｍｍと１０ｍｍとの目盛での見間違え防止の技術にしたが、顕微鏡レベルの目盛では、例えば、１０００ミクロン（μｍ）と５００ミクロン（μｍ）の見間違え（あるいは、１００μｍと５０μｍとの見間違え）の防止技術の目盛２０として使用することができる。さらには、顕微鏡のような長さを測る測定器機の目盛だけでなく、上述したような角度、質量（または体重）、容積（例えば、液体、粉体の容積）、圧力、時間などの物理量（測定可能な物理量）を計測する測定器機の目盛２０（３０）として好適に用いることが可能である。加えて、スマートフォンの表示画面で表示されるアプリケーション測定器（スマートフォンアプリケーションでの物差し、分度器、時計など）においても、本実施形態の目盛２０（または３０）を採用することが可能である。
【産業上の利用可能性】
【００５０】
本考案によれば、目盛の読み間違いを抑制できるスケールを提供することができる。
【符号の説明】
【００５１】
１０   スケール本体部（目盛テープ）
１０ａ スケール本体部の表面
１０ｂ スケール本体部の裏面
１１   第１長手方向端部
１２   第２長手方向端部
１３   傾斜面
１９   貫通孔
２０   目盛
２１   第１目盛基準（１ｃｍ毎目盛）
２２   第２目盛基準（１ｍｍ毎目盛）
２３   第４目盛基準（０．５ｍｍ毎目盛）
２５   第３目盛基準（５ｍｍ毎目盛）
３０   目盛
４０   巻き尺収納ケース
４１   引っ掛け具
１００ スケール（物差し）
１１０ スケール
１２０ スケール（定規、プラスチック定規）
２００ 巻き尺
３００ メスシリンダー
３１０ 容器部
３２０ 土台部
３５０ 上部開口端
３５２ 注ぎ口
１０００ スケール（物差し）
１５００ フィルム（紙）
【図１】
0003212599.tif 000003
【図２】
0003212599.tif 000004
【図３】
0003212599.tif 000005
【図４】
0003212599.tif 000006
【図５】
0003212599.tif 000007
【図６】
0003212599.tif 000008
【図７】
0003212599.tif 000009
【図８】
0003212599.tif 000010
【図９】
0003212599.tif 000011
【図１０】
0003212599.tif 000012
【図１１】
0003212599.tif 000013
【図１２】
0003212599.tif 000014
【図１３】
0003212599.tif 000015
【図１４】
0003212599.tif 000016
【手続補正書】
【提出日】平成29年7月27日(2017.7.27)
【手続補正１】
【補正対象書類名】実用新案登録請求の範囲
【補正対象項目名】請求項９
【補正方法】変更
【補正の内容】
【請求項９】
前記スケール本体部は、巻き尺収納ケースに収納される目盛テープである、請求項１から５の何れか一つに記載のスケール。